(57)【要約】  高い安全性を担保しながら、着用時の組立作業および非着用時の収納作業を簡単かつ迅速に行うことができるヘルメットを提供する。  着用者の頭部を覆う硬質の殻体（１）を備える。殻体（１）は、着用者の頭部の上部を覆うドーム状殻部材（２）と、着用者の頭部の側部全周を覆う環状殻部材（３）とを備える。環状殻部材（３）の拡径内側部（３３〜３５）に沿うようにヘッドバンド（７）を設けることにより、ドーム状殻部材（２）が環状殻部材（３）に対して反転する際に、ヘッドバンド（７）とドーム状殻部材（２）とを非干渉状態とする。また、サイズ調整手段（３）の一対の調整帯の基端部がヘッドバンド（７）の左右両側の各々に軸着されることによりサイズ調整手段（８）をヘッドバンドに沿わせて配置し、ドーム状殻部材（２）が環状殻部材（３）に対して反転する際に、ドーム状殻部材（２）とサイズ調整手段（８）とを非干渉状態とする。
2017130356.tif 000002
【特許請求の範囲】
【請求項１】
着用者の頭部を覆う硬質の殻体を備え、前記殻体は、着用者の頭部の上部を覆うドーム状殻部材と、着用者の頭部の側部全周を覆う環状殻部材とを備え、前記ドーム状殻部材は、前記環状殻部材に枢軸を介して反転自在に連結され、前記環状殻部材は、その内側に反転姿勢の前記ドーム状殻部材を収容するヘルメットにおいて、  前記環状殻部材の上端縁で、非反転姿勢の前記ドーム状殻部材の下端部に当接して前記ドーム状殻部材の非反転姿勢を維持する当接部と、  環状殻部材の内側面で、前記当接部から拡径した拡径内側部と、  前記拡径内側部に設けられ、着用者の頭部外周に装着する環状のヘッドバンドとを備え、  前記ヘッドバンドは、前記拡径内側部に沿うように設けられることにより、前記ドーム状殻部材が前記環状殻部材に対して反転する際に、該ヘッドバンドと該ドーム状殻部材とが非干渉状態となることを特徴とするヘルメット。
【請求項２】
請求項１記載のヘルメットにおいて、  前記ヘッドバンドの後頭部側に設けられ、着用者の頭部に合わせて該ヘッドバンドの周長を調節するためのサイズ調整手段を備え、  前記サイズ調整手段は、  前記ヘッドバンドの左右両側の各々に基端部が接続された一対の調整帯と、  前記一対の調整帯の交差位置を調節する調節機構とを有し、  前記一対の調整帯の基端部がヘッドバンドの左右両側の各々に軸着されることにより、前記サイズ調整手段を前記ヘッドバンドに沿わせて、該サイズ調整手段と該ドーム状殻部材とが非干渉状態となることを特徴とするヘルメット。
【請求項３】
請求項１または２記載のヘルメットにおいて、前記ドーム状殻部材の内側に設けられて着用者の頭部に接すると共に、頭頂部に形成された脚部連結部と、該脚部連結部から放射状に延びて下端部が該ドーム状殻部材の下端縁に連結される複数の脚部とを有するハンモックと、  前記ドーム状殻部材の内側で前記ドーム状殻部材と前記ハンモックとの間に介在された衝撃吸収ライナーとを備えることを特徴とするヘルメット。
【発明の詳細な説明】
【技術分野】
【０００１】  本発明は、着用者の頭部を覆って保護するための硬質の殻体を備えるヘルメットに関する。
【背景技術】
【０００２】  ヘルメットが備える殻体は、着用者の頭部を保護するために硬質材料で形成されている。このため、ヘルメットを持ち運ぶときには非常に嵩張り、また、不使用時のヘルメットを保管する場合にも広い保管スペースが必要となる不都合があった。【０００３】  そこで、従来、殻体を上下に複数層に分離可能となる複数の部材で構成し、不使用時には分離させた各層の部材を、大きさの大きい下層の部材の中にそれよりも小さい上層の部材を収容するようにして畳み込んでコンパクト化できるヘルメットが提案されている（特許文献１参照）。
【先行技術文献】
【特許文献】
【０００４】
【特許文献１】特開２０００−１９２３２０号公報
【特許文献２】特開２０１５−１３２０３２号公報
【発明の概要】
【発明が解決しようとする課題】
【０００５】  しかし、ヘルメットの殻体をコンパクト化する際に複数の部材に分離させると、互いに分離状態となった各部材の大きさを確認しながら部材内に他の部材を収容する作業を行わなければならず、迅速にコンパクト化することができない不都合がある。また、殻体を畳み込んだ状態から着用状態に組み立てるときには、各部材同士の結合作業に手間がかかり、迅速に着用することができない不都合がある。【０００６】  ここで、本願発明者および本願出願人は、国内でいち早く産業用ヘルメットの研究開発を進めてきたパイオニアとしてしての知見を生かし、回転ヘルメットの鋭意試験研究を繰り返す中で（例えば、特許文献２参照）、安全性を担保しながら、回転時の阻害要因を無くすことで、着用時の組立作業および非着用時の収納作業を簡単かつ迅速に行うことができるとの知見に至った。【０００７】  本発明は、かかる知見に基づくものであり、安全性を担保しながら、着用時の組立作業および非着用時の収納作業を簡単かつ迅速に行うことができるヘルメットを提供することを目的とする。
【課題を解決するための手段】
【０００８】  第１発明のヘルメットは、  着用者の頭部を覆う硬質の殻体を備え、前記殻体は、着用者の頭部の上部を覆うドーム状殻部材と、着用者の頭部の側部全周を覆う環状殻部材とを備え、前記ドーム状殻部材は、前記環状殻部材に枢軸を介して反転自在に連結され、前記環状殻部材は、その内側に反転姿勢の前記ドーム状殻部材を収容するヘルメットにおいて、  前記環状殻部材の上端縁で、非反転姿勢の前記ドーム状殻部材の下端部に当接して前記ドーム状殻部材の非反転姿勢を維持する当接部と、  環状殻部材の内側面で、前記当接部から拡径した拡径内側部と、  前記拡径内側部に設けられ、着用者の頭部外周に装着する環状のヘッドバンドとを備え、  前記ヘッドバンドは、前記拡径内側部に沿うように設けられることにより、前記ドーム状殻部材が前記環状殻部材に対して反転する際に、該ヘッドバンドと該ドーム状殻部材とが非干渉状態となることを特徴とする。【０００９】  第１発明のヘルメットによれば、環状殻部材の拡径内側部にヘッドバンドを設けることで、着用者の頭部の側部全周を覆う環状殻部材の安全性を担保することができる。【００１０】  さらに、環状殻部材の拡径内側部に沿うようにヘッドバンドを設けることにより、ドーム状殻部材が環状殻部材に対して反転する際に、ヘッドバンドとドーム状殻部材とを非干渉状態とすることができる。これにより、着用時の組立作業および非着用時の収納作業において、ドーム状殻部材が環状殻部材に対して反転する際に、ドーム状殻部材がヘッドバンドと干渉することがなく、回転時の阻害要因を無くすことができる。【００１１】  このように、第１発明のヘルメットによれば、安全性を担保しながら、回転時の阻害要因を無くすことで着用時の組立作業および非着用時の収納作業を簡単かつ迅速に行うことができる。【００１２】  第２発明のヘルメットは、第１発明において、  前記ヘッドバンドの後頭部側に設けられ、着用者の頭部に合わせて該ヘッドバンドの周長を調節するためのサイズ調整手段を備え、  前記サイズ調整手段は、  前記ヘッドバンドの左右両側の各々に基端部が接続された一対の調整帯と、  前記一対の調整帯の交差位置を調節する調節機構とを有し、  前記一対の調整帯の基端部がヘッドバンドの左右両側の各々に軸着されることにより、前記サイズ調整手段を前記ヘッドバンドに沿わせて、該サイズ調整手段と該ドーム状殻部材とが非干渉状態となることを特徴とする。【００１３】  第２発明のヘルメットによれば、ヘッドバンドの後頭部側に設けられるサイズ調整手段は、通常、ヘッドバンドに対して周方向内方で斜め下方（着用者のうなじ部分）に位置するため、そのままドーム状殻部材を環状殻部材に対して反転させると、ドーム状殻部材がサイズ調整手段に干渉してしまうという問題がある。【００１４】  ここで、第２発明のヘルメットでは、サイズ調整手段の一対の調整帯の基端部がヘッドバンドの左右両側の各々に軸着されることによりサイズ調整手段をヘッドバンドに沿わせて配置することできる。そのため、ドーム状殻部材が環状殻部材に対して反転する際に、ドーム状殻部材がサイズ調整手段と干渉することがなく、回転時の阻害要因を無くすことができる。【００１５】  このように、第２発明のヘルメットによれば、安全性を担保しながら、回転時の阻害要因を無くすことで着用時の組立作業および非着用時の収納作業をさらに簡単かつ迅速に行うことができる。【００１６】  第３発明のヘルメットは、第１または第２発明において、前記ドーム状殻部材の内側に設けられて着用者の頭部に接すると共に、頭頂部に形成された脚部連結部と、該脚部連結部から放射状に延びて下端部が該ドーム状殻部材の下端縁に連結される複数の脚部とを有するハンモックと、  前記ドーム状殻部材の内側で前記ドーム状殻部材と前記ハンモックとの間に介在された衝撃吸収ライナーとを備えることを特徴とする。【００１７】  第３発明のヘルメットによれば、着用者の頭部を覆う硬質の殻体をドーム状殻部材と環状殻部材とに分割した場合には、ハンモックや衝撃吸収ライナーといった内装体を設けることができず、ヘルメット自体の安全性をどのように担保するかが問題となる。【００１８】  ここで、第３発明のヘルメットでは、ハンモックの脚部をドーム状殻部材の下端縁に連結することで、ハンモックをドーム状殻部材に取り付け可能とすることができる。さらに、ハンモックとドーム状殻部材との間に発泡スチロール等の衝撃吸収ライナーを介在させることも可能となる。これにより、着用者の頭部の上部を覆うドーム状殻部材側の安全性を担保することができる。【００１９】  このように、第３発明のヘルメットによれば、より高い安全性を担保しながら、回転時の阻害要因を無くすことで着用時の組立作業および非着用時の収納作業を簡単かつ迅速に行うことができる。
【図面の簡単な説明】
【００２０】
【図１】本発明の一実施形態であるヘルメットにおける非反転姿勢の斜視図。
【図２】図１のヘルメットの反転姿勢の斜視図。
【図３】図１のヘルメットの非反転姿勢の側面断面図。
【図４】図１のヘルメットの非反転姿勢の底面図。
【図５】図３のヘルメットにおいてサイズ調整手段を収容した状態を示す側面断面図。
【発明を実施するための形態】
【００２１】  本発明の一実施形態を図面に基づいて説明する。図１に示すように、本実施形態のヘルメットは、硬質合成樹脂材料からなる殻体１を備えている。
【００２２】  図１及び図２に示すように、殻体１は、ドーム状殻部材２と環状殻部材３との２つの部材で構成されている。ドーム状殻部材２は着用者の頭部の上部をドーム状に覆う形状に形成され、環状殻部材３はドーム状殻部材２の下部に位置して着用者の頭部の側部全周を覆う形状に形成されている。
【００２３】  また、図３に示すように、ドーム状殻部材２の最大外径となる下縁外径は、環状殻部材３の最小外形となる上縁内径よりも僅かに小さく形成されている。
【００２４】  ドーム状殻部材２は、枢軸４を介して環状殻部材３の上部に連結されている。枢軸４は、例えば、ドーム状殻部材２の外面に突設されており、ドーム状殻部材２の左右に対向する位置で同一軸線上に設けられている。
【００２５】  なお、枢軸４は、ドーム状殻部材２ではなく環状殻部材３の内面に設けることも可能である。
【００２６】  枢軸４によって、ドーム状殻部材２と環状殻部材３とは分離不能とされるが、ドーム状殻部材２は、枢軸４回りに回動自在とされている。そして、ドーム状殻部材２は、枢軸４回りに回動させることにより、図２に示すように、環状殻部材３に対して反転姿勢とすることができる。
【００２７】  なお、ドーム状殻部材２の状態について、以下の説明においては、環状殻部材３の上方に露出して着用可能となる状態を非反転姿勢と言い、環状殻部材３に対して反転させたことにより環状殻部材３の内部に収容された状態を反転姿勢と言う。
【００２８】  以上が、本実施形態のヘルメットの基本構成である。次に、図３および図４を参照して、ドーム状殻部材２と、環状殻部材３と、これらに取り付けられる内装体の詳細について説明する。
【００２９】  ドーム状殻部材２は、非反転姿勢における前側端部２１および後側端部２２と、前側端部２１および後側端部２２のそれぞれ上方の外側面に横溝状に形成された前側凹部２３および後側凹部２４とを有する。
【００３０】  ドーム状殻部材２の内側には、ハンモック５および衝撃吸収ライナー６が装着される。
【００３１】  ハンモック５は、着用者の頭部に接する合成樹脂製（例えばポリオレフィン系合成樹脂等）の部材であって、頭頂部に形成された脚部連結部５１と、脚部連結部５１から放射状に延びる複数の脚部５２と、脚部５２の下端部でドーム状殻部材２の下端縁に連結されるハンモック嵌合部５３とを備える。
【００３２】  なお、ハンモック嵌合部５３は、ドーム状殻部材２の下端縁に形成されたハンモック嵌合受部２５（図２参照）に嵌合して連結される。
【００３３】  衝撃吸収ライナー６は、発泡スチロール等の衝撃吸収材であって、ドーム状殻部材２とハンモック５との間に介在される。衝撃吸収ライナー６は、ドーム状殻部材２の内面の凹凸に対応した形状に形成することにより、ドーム状殻部材２の内面に嵌合して固定される。
【００３４】  また、衝撃吸収ライナー６は、ハンモック５の脚部連結部５１や複数の脚部５２に部分的に当接させるようにして固定してもよい。
【００３５】  環状殻部材３は、非反転姿勢において、前側端部２１が当接する前側当接部３１（本発明の当接部に相当する）と、後側凹部２４に係合する係合部３２（本発明の当接部に相当する）とを備える。
【００３６】  かかる構成により、ドーム状殻部材２と環状殻部材３とは、非反転姿勢において、前側端部２１が前側当接部３１に当接すると共に、後側凹部２４に係合部３２が係合することで、その姿勢が強固に維持される。
【００３７】  一方、ドーム状殻部材２と環状殻部材３とは、反転姿勢（図２参照）において、前側凹部２３に係合部３２が係合することにより、その姿勢が維持される。
【００３８】  なお、係合部３２は、回転軸３２Ａを中心に回転自在に軸着される共に、回転軸３２Ａに対して係合部３２と一体に回動するフック部３２Ｂを備える。
【００３９】  係合部３２は、図示しない付勢手段により係合部３２が後側凹部２４（前側凹部２３）側に付勢された状態から、着用者がフック部３２Ｂに指を掛けて引き上げることにより、付勢手段による付勢力に逆らって係合部３２が後側凹部２４（前側凹部２３）から外れて開放される。
【００４０】  また、環状殻部材３の内側面は、前側当接部３１から拡径した前方拡径内側部３３と、係合部３２から拡径した後方拡径内側部３４と、前方拡径内側部３３と後方拡径内側部３４とを緩やかに円弧状に結んだ左右拡径内側部３５とを有する。
【００４１】  左右拡径内側部３５は、図３および図４に示すように、前側当接部３１と係合部３２とを緩やかに円弧状に結んだ環状殻部材３の左右の上端縁から下方に拡径した形状となっている。
【００４２】  なお、前方拡径内側部３３と後方拡径内側部３４と左右拡径内側部３５とが本発明の拡径内側部に相当する。
【００４３】  前方拡径内側部３３と後方拡径内側部３４と左右拡径内側部３５とから環状殻部材３の内側領域には、これに沿うように着用者の頭部外周に装着する環状のヘッドバンド７が設けられる。
【００４４】  このように、環状殻部材３の内面を、上端縁から下方に拡径させて内側領域（前方拡径内側部３３と後方拡径内側部３４と左右拡径内側部３５とからなる領域）に、ヘッドバンド７を沿うように設けることにより、環状殻部材３に対してドーム状殻部材２を反転姿勢と非反転姿勢との間で変更する際に、ヘッドバンド７とドーム状殻部材２とを非干渉状態とすることができる。
【００４５】  なお、ヘッドバンド７には、ヘッドバンドカバー７１が装着されてもよいが（図４参照）、ヘッドバンドカバー７１が装着される場合でも、ヘッドバンド７とドーム状殻部材２とが干渉することはない。
【００４６】  また、ヘッドバンド７は、その外周に複数（本実施形態では４方向に）形成されたヘッドバンド嵌合部７２が、環状殻部材３の内側領域（前方拡径内側部３３と後方拡径内側部３４と左右拡径内側部３５とからなる領域）に形成れたヘッドバンド嵌合受部３６（図４参照）に嵌合して連結される。
【００４７】  ヘッドバンド７は、その後頭部側に、着用者の頭部に合わせてヘッドバンド７の周長を調節するためのサイズ調整手段８を備える。
【００４８】  サイズ調整手段８は、端部が回転軸８０により回転自在に軸着された一対の調整帯８１と、一対の調整帯の交差位置を調節する調節機構８３とを備える。
【００４９】  ここで、一対の調整帯８１がヘッドバンド７の左右両側の各々に軸着されることにより、サイズ調整手段８をヘッドバンド７側に引き上げてヘッドバンド７に沿わせることができる。そのため、環状殻部材３に対してドーム状殻部材２を反転姿勢と非反転姿勢との間で変更する際に、サイズ調整手段８とドーム状殻部材２とを非干渉状態とすることができる。
【００５０】  以上が本実施形態のヘルメットの構成であり、かかる構成のヘルメットによれば、以下のような作用効果を奏する。
【００５１】  すなわち、着用者の頭部を覆う硬質の殻体１をドーム状殻部材２と環状殻部材３とに分割した場合には、ハンモック５や衝撃吸収ライナー６やヘッドバンド７等の内装体を設けることができず、ヘルメット自体の安全性をどのように担保するかが問題となるが、本実施形態のヘルメットでは、ハンモック嵌合部５３をハンモック嵌合受部２５に嵌合して連結することにより、ハンモック５をドーム状殻部材２に取り付け可能とすることができる。さらに、ハンモック５とドーム状殻部材２との間に発泡スチロール等の衝撃吸収ライナー６を介在させることも可能となる。これにより、着用者の頭部の上部を覆うドーム状殻部材側の安全性を担保することができる。
【００５２】  一方、環状殻部材３の拡径内側部３３〜３５にヘッドバンド７を設けることで、着用者の頭部の側部全周を覆う環状殻部材３の安全性を担保することができる。
【００５３】  ここで、環状殻部材３の拡径内側部３３〜３５に沿うようにヘッドバンド７を設けることにより、ドーム状殻部材２が環状殻部材３に対して反転する際に、ヘッドバンド７とドーム状殻部材２とを非干渉状態とすることができる。これにより、着用時の組立作業および非着用時の収納作業において、ドーム状殻部材２が環状殻部材３に対して反転する際に、ドーム状殻部材２がヘッドバンド７と干渉することがなく、回転時の阻害要因を無くすことができる。
【００５４】  加えて、ヘッドバンドの後頭部側に設けられるサイズ調整手段８は、通常、ヘッドバンドに対して周方向内方で斜め下方（着用者のうなじ部分）に位置するため、そのままドーム状殻部材２を環状殻部材３に対して反転させると、ドーム状殻部材２がサイズ調整手段８に干渉してしまうという問題があるが、図５に示すように、サイズ調整手段８の一対の調整帯８１の基端部が、左右拡径内側部３５においてヘッドバンド７の左右両側の各々に軸着されることにより、サイズ調整手段８をヘッドバンドに沿わせて配置することできる。
【００５５】  そのため、ドーム状殻部材２が環状殻部材３に対して反転する際に、ドーム状殻部材２がサイズ調整手段８と干渉することがなく、回転時の阻害要因を無くすことができる。
【００５６】  このように、本実施形態のヘルメットによれば、高い安全性を担保しながら、回転時の阻害要因を無くすことで着用時の組立作業および非着用時の収納作業をさらに簡単かつ迅速に行うことができる。
【００５７】  なお、本実施形態においては、ドーム状殻部材２の反転軸線が殻体１の左右方向に延びていてドーム状殻部材２が前後方向に反転する構成のものを示したが、それ以外に、図示しないが、殻体１の前後方向に延びる反転軸線を形成するように一対の枢軸を殻体の前後に対向して配設し、ドーム状殻部材２を左右方向に反転させるように構成してもよい。
【００５８】  また、本実施形態においては、非反転姿勢のドーム状殻部材２を枢軸４に対して時計回りに反転させて反転姿勢とすると共に、反転姿勢のドーム状殻部材２を枢軸４に対して反時計回りに反転させて非反転姿勢とする構成について説明したが、これに限定されるものではない。
【００５９】  例えば、枢軸４の軸受となる軸孔を前後方向に延びる長孔状にすることにより、軸孔の長手方向に沿った案内により枢軸４を前後方向に移動することにより、反転姿勢と非反転姿勢との間で何時もドーム状殻部材２を枢軸４に対して時計回りおよび反時計回りをいずれも許容するように構成してもよい。
【００６０】  さらに、この場合、本実施形態では、後側当接部を係合部３２として構成したが、係合部３２に変えて、前側当接部３１と同一形状の後側当接部としてもよい。
【００６１】  また、本実施形態では、詳細な説明を省略したが、ヘッドバンド７には適宜、顎紐９等が取り付けられてもよい。
【符号の説明】
【００６２】  １…殻体、２…ドーム状殻部材、３…環状殻部材、４…枢軸、５…ハンモック、６…衝撃吸収ライナー、７…ヘッドバンド、８…サイズ調整手段、２１…前側端部、２２…後側端部、２３…前側凹部、２４…後側凹部、３１…前側当接部（当接部）、３２…係合部（当接部）、３３…前方拡径内側部（拡径内側部）、３４…後方拡径内側部（拡径内側部）、３５…左右拡径内側部（拡径内側部）、５１…脚部連結部、５２…脚部、５３…ハンモック嵌合部、８０…回転軸、８１…調整帯、８３…調節機構。
【図１】
2017130356.tif 000003
【図２】
2017130356.tif 000004
【図３】
2017130356.tif 000005
【図４】
2017130356.tif 000006
【図５】
2017130356.tif 000007
【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
着用者の頭部を覆う硬質の殻体を備え、前記殻体は、着用者の頭部の上部を覆うドーム状殻部材と、着用者の頭部の側部全周を覆う環状殻部材とを備え、前記ドーム状殻部材は、前記環状殻部材に枢軸を介して反転自在に連結され、前記環状殻部材は、その内側に反転姿勢の前記ドーム状殻部材を収容するヘルメットにおいて、
前記環状殻部材の上端縁で、非反転姿勢の前記ドーム状殻部材の下端部に当接して前記ドーム状殻部材の非反転姿勢を維持する当接部と、
環状殻部材の内側面で、前記当接部から拡径した拡径内側部と、
前記拡径内側部に設けられ、着用者の頭部外周に装着する環状のヘッドバンドと、
前記ヘッドバンドの後頭部側に設けられ、着用者の頭部に合わせて該ヘッドバンドの周長を調節するためのサイズ調整手段と
を備え、
前記ヘッドバンドは、前記拡径内側部に沿うように設けられることにより、前記ドーム状殻部材が前記環状殻部材に対して反転する際に、該ヘッドバンドと該ドーム状殻部材とが非干渉状態となり、
前記サイズ調整手段は、
前記ヘッドバンドの左右両側の各々に基端部が接続された一対の調整帯と、
前記一対の調整帯の交差位置を調節する調節機構と
を有し、
前記一対の調整帯の基端部がヘッドバンドの左右両側の各々に軸着されることにより、前記サイズ調整手段を前記ヘッドバンドに沿わせて、該サイズ調整手段と該ドーム状殻部材とが非干渉状態となることを特徴とするヘルメット。
【請求項２】
請求項１記載のヘルメットにおいて、
前記ドーム状殻部材の内側に設けられて着用者の頭部に接すると共に、頭頂部に形成された脚部連結部と、該脚部連結部から放射状に延びて下端部が該ドーム状殻部材の下端縁に連結される複数の脚部とを有するハンモックと、
前記ドーム状殻部材の内側で前記ドーム状殻部材と前記ハンモックとの間に介在された衝撃吸収ライナーと
を備えることを特徴とするヘルメット。
【手続補正２】
【補正対象書類名】明細書
【補正対象項目名】０００８
【補正方法】変更
【補正の内容】
【０００８】
第１発明のヘルメットは、
着用者の頭部を覆う硬質の殻体を備え、前記殻体は、着用者の頭部の上部を覆うドーム状殻部材と、着用者の頭部の側部全周を覆う環状殻部材とを備え、前記ドーム状殻部材は、前記環状殻部材に枢軸を介して反転自在に連結され、前記環状殻部材は、その内側に反転姿勢の前記ドーム状殻部材を収容するヘルメットにおいて、
前記環状殻部材の上端縁で、非反転姿勢の前記ドーム状殻部材の下端部に当接して前記ドーム状殻部材の非反転姿勢を維持する当接部と、
環状殻部材の内側面で、前記当接部から拡径した拡径内側部と、
前記拡径内側部に設けられ、着用者の頭部外周に装着する環状のヘッドバンドと、
前記ヘッドバンドの後頭部側に設けられ、着用者の頭部に合わせて該ヘッドバンドの周長を調節するためのサイズ調整手段と
を備え、
前記ヘッドバンドは、前記拡径内側部に沿うように設けられることにより、前記ドーム状殻部材が前記環状殻部材に対して反転する際に、該ヘッドバンドと該ドーム状殻部材とが非干渉状態となり、
前記サイズ調整手段は、
前記ヘッドバンドの左右両側の各々に基端部が接続された一対の調整帯と、
前記一対の調整帯の交差位置を調節する調節機構と
を有し、
前記一対の調整帯の基端部がヘッドバンドの左右両側の各々に軸着されることにより、前記サイズ調整手段を前記ヘッドバンドに沿わせて、該サイズ調整手段と該ドーム状殻部材とが非干渉状態となることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、第１発明のヘルメットによれば、ヘッドバンドの後頭部側に設けられるサイズ調節手段は、通常、ヘッドバンドに対して周方向内方で斜め下方（着用者のうなじ部分）に位置するため、そのままドーム状殻部材を環状殻部材に対して反転させると、ドーム状殻部材がサイズ調節手段に干渉してしまうという問題がある。
【手続補正５】
【補正対象書類名】明細書
【補正対象項目名】００１４
【補正方法】変更
【補正の内容】
【００１４】
ここで、第１発明のヘルメットでは、サイズ調整手段の一対の調整帯の基端部がヘッドバンドの左右両側の各々に軸着されることによりサイズ調整手段をヘッドバンドに沿わせて配置することできる。そのため、ドーム状殻部材が環状殻部材に対して反転する際に、ドーム状殻部材がサイズ調整手段と干渉することがなく、回転時の阻害要因を無くすことができる。
【手続補正６】
【補正対象書類名】明細書
【補正対象項目名】００１５
【補正方法】変更
【補正の内容】
【００１５】
このように、第１発明のヘルメットによれば、安全性を担保しながら、回転時の阻害要因を無くすことで着用時の組立作業および非着用時の収納作業をさらに簡単かつ迅速に行うことができる。
【手続補正７】
【補正対象書類名】明細書
【補正対象項目名】００１６
【補正方法】変更
【補正の内容】
【００１６】
第２発明のヘルメットは、第１発明において、
前記ドーム状殻部材の内側に設けられて着用者の頭部に接すると共に、頭頂部に形成された脚部連結部と、該脚部連結部から放射状に延びて下端部が該ドーム状殻部材の下端縁に連結される複数の脚部とを有するハンモックと、
前記ドーム状殻部材の内側で前記ドーム状殻部材と前記ハンモックとの間に介在された衝撃吸収ライナーと
を備えることを特徴とする。
【手続補正８】
【補正対象書類名】明細書
【補正対象項目名】００１７
【補正方法】変更
【補正の内容】
【００１７】
第２発明のヘルメットによれば、着用者の頭部を覆う硬質の殻体をドーム状殻部材と環状殻部材とに分割した場合には、ハンモックや衝撃吸収ライナーといった内装体を設けることができず、ヘルメット自体の安全性をどのように担保するかが問題となる。
【手続補正９】
【補正対象書類名】明細書
【補正対象項目名】００１８
【補正方法】変更
【補正の内容】
【００１８】
ここで、第２発明のヘルメットでは、ハンモックの脚部をドーム状殻部材の下端縁に連結することで、ハンモックをドーム状殻部材に取り付け可能とすることができる。さらに、ハンモックとドーム状殻部材との間に発泡スチロール等の衝撃吸収ライナーを介在させることも可能となる。これにより、着用者の頭部の上部を覆うドーム状殻部材側の安全性を担保することができる。
【手続補正１０】
【補正対象書類名】明細書
【補正対象項目名】００１９
【補正方法】変更
【補正の内容】
【００１９】
このように、第２発明のヘルメットによれば、より高い安全性を担保しながら、回転時の阻害要因を無くすことで着用時の組立作業および非着用時の収納作業を簡単かつ迅速に行うことができる。
【国際調査報告】
2017130356.tif 000008
2017130356.tif 000009
2017130356.tif 000010
2017130356.tif 000011